(57)【要約】      （修正有）【課題】使用性に優れ、衛生面の向上にも寄与する足踏み式消毒剤供給装置を提供する。【解決手段】足踏み式消毒剤供給装置は、容器保持部２、容器保持部の左右に固定される昇降棒３、昇降棒を支持する支持体４、支持体が固定された架台５、架台の前方に突出する足踏みペダル６、容器の後方において上下に延び上下動可能なロッド７、足踏みペダルの下向き押圧に伴いロッドを上昇させるリンク機構、ロッドの外周面に沿って昇降するスライダー、ロッドにおけるスライダーよりも上下の位置に固定され、かつその固定高さを変更可能であるストッパ及び押し上げ体、容器保持部の上方において２本の昇降棒を連結し、上下に移動可能な連結体１２、連結体及びスライダーに支持され、足踏みペダルの下向き押圧に伴ってロッドが上昇し、押し上げ体がスライダーを押し上げると、前部が容器のヘッドを下向きに押圧するように連結体の軸回りに回動する操作部１３、を具備した。【選択図】図１
0003228051.tif 000002
【実用新案登録請求の範囲】
【請求項１】
容器本体に貯留された消毒剤を、容器本体の上方に突出し上下動可能なヘッドの下向き押圧に伴って供給口から外部に供給するように構成された消毒剤入りの容器が取り付けられる足踏み式消毒剤供給装置であって、
前記容器を保持する容器保持部と、
容器保持部の左右に固定され、上下に延びる２本の昇降棒と、
２本の昇降棒をそれぞれ昇降自在に支持する２本の支持体と、
２本の支持体の下部が固定された架台と、
架台の前方に突出する足踏みペダルと、
容器保持部に保持された前記容器の後方において上下に延び上下動可能なロッドと、
足踏みペダルとロッドとの間に設けられ、足踏みペダルの下向き押圧に伴いロッドが上昇するように構成されたリンク機構と、
ロッドの外周面に沿って上下方向に移動可能なスライダーと、
ロッドにおけるスライダーよりも下方の位置に固定され、かつその固定高さを変更可能である押し上げ体と、
ロッドにおけるスライダーよりも上方の位置に固定され、かつその固定高さを変更可能であるストッパと、
容器保持部の上方において２本の昇降棒を連結し、かつ、その連結位置を上下に移動可能である連結体と、
連結体の軸回りに回動可能となるように連結体及びスライダーに支持され、足踏みペダルの下向き押圧に伴ってロッドが上昇し、押し上げ体がスライダーを押し上げると、前部が容器保持部に保持された容器のヘッドを下向きに押圧するように連結体の軸回りに回動する操作部とを具備した足踏み式消毒剤供給装置。
【請求項２】
容器保持部は、前記容器を挿入可能な大きさの開口を有する板状のベースと、前記容器が載置される前部が前記開口に挿入された状態でベースに固定され、かつその前後方向の固定位置を変更可能なプレートとを具備する請求項１に記載の足踏み式消毒剤供給装置。
【考案の詳細な説明】
【技術分野】
【０００１】
本考案は、例えば、手指の消毒に用いられる消毒剤が貯留された容器に人が直接触れることなく、その容器から消毒剤を供給（吐出・噴霧等）させることを可能とする足踏み式消毒剤供給装置に関する。
【背景技術】
【０００２】
従来、手指の消毒に用いられるアルコール等の消毒剤は、上下動可能なヘッドを有する容器に貯留（収容）された状態で広く市場に出回っている。すなわち、この容器は、ヘッドが下向きに押圧されると、ヘッドから延びるノズル先端に設けられた供給口から消毒剤が外部に供給されるように構成されている。そして、この容器は、消毒剤を使用する際、容器本体を手に持って傾けるといった操作が不要であり、使用性に優れている。
【考案の概要】
【考案が解決しようとする課題】
【０００３】
しかし、上記容器では、消毒前の手でヘッドに触れることになり、衛生面において向上の余地がある。
【０００４】
本考案は上述の事柄に留意してなされたもので、その目的は、使用性に優れ、衛生面の向上にも寄与する足踏み式消毒剤供給装置を提供することにある。
【課題を解決するための手段】
【０００５】
上記目的を達成するために、本考案に係る足踏み式消毒剤供給装置は、容器本体に貯留された消毒剤を、容器本体の上方に突出し上下動可能なヘッドの下向き押圧に伴って供給口から外部に供給するように構成された消毒剤入りの容器が取り付けられる足踏み式消毒剤供給装置であって、前記容器を保持する容器保持部と、容器保持部の左右に固定され、上下に延びる２本の昇降棒と、２本の昇降棒をそれぞれ昇降自在に支持する２本の支持体と、２本の支持体の下部が固定された架台と、架台の前方に突出する足踏みペダルと、容器保持部に保持された前記容器の後方において上下に延び上下動可能なロッドと、足踏みペダルとロッドとの間に設けられ、足踏みペダルの下向き押圧に伴いロッドが上昇するように構成されたリンク機構と、ロッドの外周面に沿って上下方向に移動可能なスライダーと、ロッドにおけるスライダーよりも下方の位置に固定され、かつその固定高さを変更可能である押し上げ体と、ロッドにおけるスライダーよりも上方の位置に固定され、かつその固定高さを変更可能であるストッパと、容器保持部の上方において２本の昇降棒を連結し、かつ、その連結位置を上下に移動可能である連結体と、連結体の軸回りに回動可能となるように連結体及びスライダーに支持され、足踏みペダルの下向き押圧に伴ってロッドが上昇し、押し上げ体がスライダーを押し上げると、前部が容器保持部に保持された容器のヘッドを下向きに押圧するように連結体の軸回りに回動する操作部とを具備した（請求項１）。
【０００６】
上記足踏み式消毒剤供給装置において、容器保持部は、前記容器を挿入可能な大きさの開口を有する板状のベースと、前記容器が載置される前部が前記開口に挿入された状態でベースに固定され、かつその前後方向の固定位置を変更可能なプレートとを具備してもよい（請求項２）。
【考案の効果】
【０００７】
本願考案では、使用性に優れ、衛生面の向上にも寄与する足踏み式消毒剤供給装置が得られる。
【０００８】
すなわち、本願の各請求項に係る考案の足踏み式消毒剤供給装置では、容器内の消毒剤を使用する際、足踏みペダルを踏めばよく、容器に手で直接触れる必要がないので、使用性に優れ、衛生面の向上にも寄与するものとなっている。
【０００９】
また、本考案の足踏み式消毒剤供給装置では、連結体とスライダーの高さ位置を変更することにより、容器のヘッドを下向きに押圧する操作部の高さ調整も可能であるので、高さが異なる複数の容器を用いることができる。
【００１０】
さらに、本考案の足踏み式消毒剤供給装置では、押し上げ体をスライダーから下方に距離をあけてロッドに固定し、足踏みペダルを踏み込み、ロッドが上昇した際に押し上げ体がすぐにスライダーを押し上げないようにすることにより、操作部が容器のヘッドを押し下げるストロークを減少させ、足踏みペダルの踏み方を変えることなく容器から外部に供給される消毒剤の量を調節する（減らす）ことができる。
【００１１】
請求項２に係る考案の足踏み式消毒剤供給装置では、前後の厚みが異なる複数の容器を容器保持部によって保持することができる。
【図面の簡単な説明】
【００１２】
【図１】本考案の一実施の形態に係る足踏み式消毒剤供給装置の正面図（写真）である。
【図２】前記足踏み式消毒剤供給装置の右側面図（写真）である。
【図３】前記足踏み式消毒剤供給装置の背面図（写真）である。
【図４】前記足踏み式消毒剤供給装置の左側面図（写真）である。
【図５】前記足踏み式消毒剤供給装置の昇降棒の下部付近の構成を示す斜視図（写真）である。
【図６】前記足踏み式消毒剤供給装置の下部の構成を示す斜視図（写真）である。
【図７】前記足踏み式消毒剤供給装置のロッドの下端付近の構成を示す斜視図（写真）である。
【図８】前記足踏み式消毒剤供給装置のロッドの上端付近の構成を示す斜視図（写真）である。
【図９】前記足踏み式消毒剤供給装置の連結体の一端付近の構成を示す斜視図（写真）である。
【図１０】前記足踏み式消毒剤供給装置の上部の構成を示す斜視図（写真）である。
【図１１】前記足踏み式消毒剤供給装置の操作部付近の構成を示す斜視図（写真）である。
【図１２】前記足踏み式消毒剤供給装置の操作部の前部付近の構成を示す斜視図（写真）である。
【図１３】容器を取り外した状態の前記足踏み式消毒剤供給装置の操作部の前部付近の構成を示す斜視図（写真）である。
【図１４】スライダーから押し上げ体を下方に離した状態の前記足踏み式消毒剤供給装置のロッド上部付近の構成を示す斜視図（写真）である。
【図１５】容器を取り外した状態の前記足踏み式消毒剤供給装置の容器保持部付近の構成を示す斜視図（写真）である。
【図１６】容器を取り外し、かつ、プレートを図１５の位置よりも前方に移動させた状態の前記足踏み式消毒剤供給装置の容器保持部付近の構成を示す斜視図（写真）である。
【図１７】前記足踏み式消毒剤供給装置の容器保持部の構成を概略的に示す説明図である。
【図１８】前記足踏み式消毒剤供給装置のリンク機構の構成を概略的に示す説明図である。
【考案を実施するための形態】
【００１３】
本考案の実施の形態について図面を参照しながら以下に説明する。
【００１４】
図１〜図４に示す足踏み式消毒剤供給装置（以下、供給装置と略称する）は、容器本体１ａに貯留された消毒剤を、容器本体１の上方に突出し上下動可能なヘッド１ｂの下向き押圧に伴って供給口１ｃから外部に供給するように構成された消毒剤入りの容器１が取り付けられる足踏み式消毒剤供給装置である。
【００１５】
供給装置は、容器１を保持する容器保持部２と、容器保持部２の左右（の後ろ寄りの位置）に固定され、上下に延びる２本の昇降棒３と、２本の昇降棒３をそれぞれ昇降自在に支持する２本の支持体４と、２本の支持体４の下部が固定された架台５と、架台５の前方に突出する足踏みペダル６と、容器保持部２に保持された容器１の後方において上下に延び上下動可能なロッド７と、足踏みペダル６とロッド７との間に設けられ、足踏みペダル６の下向き押圧に伴いロッド７が上昇するように構成されたリンク機構８（図６，図７参照）と、ロッド７の外周面に沿って上下方向に移動可能なスライダー９（図８参照）と、ロッド７におけるスライダー９よりも下方の位置に固定され、かつその固定高さを変更可能である押し上げ体１０（図８参照）と、ロッド７におけるスライダー９よりも上方の位置に固定され、かつその固定高さを変更可能であるストッパ１１（図８参照）と、容器保持部２の上方において２本の昇降棒３を連結し、かつ、その連結位置を上下に移動可能である連結体１２と、連結体１２の軸回りに回動可能となるように連結体１２及びスライダー９に支持され、足踏みペダル６の下向き押圧に伴ってロッド７が上昇し、押し上げ体１０がスライダー９を押し上げると、前部が容器保持部２に保持された容器１のヘッド１ｂを下向きに押圧するように連結体１２の軸回りに回動する操作部１３（図８〜図１１参照）とを具備している。
【００１６】
支持体４は筒状の部材であり、その中空空間に昇降棒３の下部が挿入され、昇降棒３は支持体４にガイドされながら昇降する。そして、図５に示すように、昇降棒３の外周面には取付具１４が着脱自在に取り付けられ、取り付けられた状態の取付具１４は昇降棒３の外周面上を上下に移動せず、かつ、支持体４の中空空間内に進入できないように構成されている。すなわち、取付具１４を取り付けた状態の昇降棒３から手を離すと、取付具１４が支持体４の上面に係止した状態になって、昇降棒３はそれ以上落下しなくなるのであり、昇降棒３に対する取付具１４の取付位置を上下方向に変更することにより、昇降棒３における支持体４の上方に露出する部分の長さ、つまりは高さを調節することができる。
【００１７】
取付具１４は、内周面が昇降棒３の外周面の凹凸に沿うように構成されたＣ型部材１４ａと、このＣ型部材１４ａの開口部を貫く貫通部材１４ｂとを具備し、貫通部材１４ｂの一端側に設けられたハンドル１４ｃを回動操作すると、Ｃ型部材１４ａの開口量が変化し、これにより昇降棒３に対する着脱が可能となっている。
【００１８】
なお、本例では、図６に示すように、２本の支持体４の下部どうしを連結部材１５で連結してある。また、本例では、図１に示すように、２本の昇降棒３の上部どうしを連結部３ａで連結してある。
【００１９】
リンク機構８は、図１８に示すように、足踏みペダル６に前部が連結され、架台５の下方を前後に延びるリンク８ａの後部にロッド７の下部をジョイントにより接続するとともに、リンク８ａの中間部をジョイントにより架台５に接続することによって構成してある（図６、図７参照）。自然状態では、ロッド７の重量によってリンク８ａの後部が押し下げられ、リンク８ａの前部に繋がった足踏みペダル６が上方に浮いている。足踏みペダル６を踏んで下向きに押圧すると、リンク８ａの前部が下がり、後部が上がって、ロッド７が上昇する。
【００２０】
押し上げ体１０は、取付具１４と同一の構成を有するものである。また、ストッパ１１は、図示例では押し上げ体１０と異なる構成を有しているが、取付具１４と同一構成のものでよい。すなわち、取付具１４は昇降棒３における任意の高さ位置に固定でき、押し上げ体１０及びストッパ１１は、ロッド７における任意の高さ位置に固定できればよく、それぞれ公知の構成のものを採用可能である。
【００２１】
図９に示すように、連結体１２の両端部は、それぞれ昇降棒３の外周面に沿って上下方向に移動可能なスライダー１６に支持され、各スライダー１６の上下には、上ストッパ１７及び下ストッパ１８が配されている。スライダー１６、上ストッパ１７及び下ストッパ１８は、それぞれスライダー９、ストッパ１１、押し上げ体１０と同一構成を有する。すなわち、スライダー１６を昇降棒３の任意の高さ位置に合わせ、このスライダー１６を挟み込む位置で上ストッパ１７及び下ストッパ１８を昇降棒３に固定すれば、スライダー１６をその高さ位置で固定することができるのであり、スライダー１６の高さ位置を変更する場合には、上ストッパ１７及び下ストッパ１８を緩めればよい。
【００２２】
図１２、図１３に示すように、操作部１３の前部には、容器１のヘッド１ｂに覆い被さるカバー部材１３ａが設けられ、このカバー部材１３ａの前面には、ヘッド１ｂから側方に突出するノズル１ｄを避けるための切欠き１３ｂが設けられている。この切欠き１３ｂにノズル１ｄを通すことにより、操作部１３がヘッド１ｂを下向きに押圧した際などに、何かの拍子でヘッド１ｂがその上下方向の軸回りに回動してしまうことを確実に防止することができる。なお、図示例では、切欠き１３ｂをカバー部材１３ａの前面のみに設けてあるが、例えば側面にも設けることにより、ヘッド１ｂを横向きにもできる。
【００２３】
以上のように構成した本例の供給装置は、容器１内の消毒剤を使用する際、足踏みペダル６を踏めばよく、容器１に手で直接触れる必要がないので、使用性に優れ、衛生面の向上にも寄与するものとなっている。
【００２４】
しかも、本例の供給装置では、容器保持部２を支持する２本の昇降棒３の高さを変更することにより、容器保持部２に保持された容器１の高さを調整することができ、この点でも使用性に優れたものとなっている。
【００２５】
また、連結体１２とスライダー９の高さ位置を変更することにより、容器１のヘッド１ｂを下向きに押圧する操作部１３の高さ調整も可能であるので、高さが異なる複数の容器１を用いることができる。
【００２６】
さらに、図１４に示すように、押し上げ体１０をスライダー９から下方に距離をあけてロッド７に固定し、足踏みペダル６を踏み込み、ロッド７が上昇した際に押し上げ体１０がすぐにスライダー９を押し上げないようにすることにより、操作部１３が容器１のヘッド１ｂを押し下げるストロークを減少させ、足踏みペダル６の踏み方を変えることなく容器１から外部に供給される消毒剤の量を調節する（減らす）ことができる。
【００２７】
一方、図１５〜図１７に示すように、容器保持部２は、容器１を挿入可能な大きさの開口１９ａ（図１０参照）を有する板状のベース１９と、容器１が載置される前部２０ａ（図１、図２参照）が開口１９ａに挿入された状態でベース１９に固定され、かつその前後方向の固定位置を変更可能なプレート２０とを具備する。なお、プレート２０の後部には前後方向に延びる二つの長孔が形成されており、各長孔を挿通するボルトを締めることでプレート２０を前後方向の任意の位置に固定でき、緩めることでプレート２０を前後方向に動かせるように構成してある。
【００２８】
斯かる構成により、前後の厚みが異なる複数の容器１を容器保持部２によって保持することができ、また、容器保持部２に保持された状態の容器１は、開口１９ａに下部が入り込み、ヘッド１ｂにはカバー部材１３ａが覆い被さっているので、この状態で供給装置から抜き出せず、これにより、容器１の盗難防止を図ることができる。
【００２９】
なお、本考案は、上記の実施の形態に何ら限定されず、本考案の要旨を逸脱しない範囲において種々に変形して実施し得ることは勿論であり、本明細書で挙げた変形例どうしを適宜組み合わせてもよいことはいうまでもない。
【符号の説明】
【００３０】
１    容器
１ａ  容器本体
１ｂ  ヘッド
１ｃ  供給口
１ｄ  ノズル
２    容器保持部
３    昇降棒
３ａ  連結部
４    支持体
５    架台
６    足踏みペダル
７    ロッド
８    リンク機構
８ａ  リンク
９    スライダー
１０    押し上げ体
１１    ストッパ
１２    連結体
１３    操作部
１３ａ  カバー部材
１３ｂ  切欠き
１４    取付具
１４ａ  Ｃ型部材
１４ｂ  貫通部材
１４ｃ  ハンドル
１５    連結部材
１６    スライダー
１７    上ストッパ
１８    下ストッパ
１９    ベース
１９ａ  開口
２０    プレート
２０ａ  前部
【図１】
0003228051.tif 000003
【図２】
0003228051.tif 000004
【図３】
0003228051.tif 000005
【図４】
0003228051.tif 000006
【図５】
0003228051.tif 000007
【図６】
0003228051.tif 000008
【図７】
0003228051.tif 000009
【図８】
0003228051.tif 000010
【図９】
0003228051.tif 000011
【図１０】
0003228051.tif 000012
【図１１】
0003228051.tif 000013
【図１２】
0003228051.tif 000014
【図１３】
0003228051.tif 000015
【図１４】
0003228051.tif 000016
【図１５】
0003228051.tif 000017
【図１６】
0003228051.tif 000018
【図１７】
0003228051.tif 000019
【図１８】
0003228051.tif 000020